(57)【要約】【課題】人手がかからず、簡単な作業で高所の果実を摘み取ることができる果実摘み取り具を提案する【解決手段】本発明の実施形態の果実摘み取り具は、果実Ｆ１が挿入される挿入口４を周壁１０に有する筒体１と、筒体１に取り付けられる切断部材２と、筒体１に接続される取っ手３とを備えることを特徴とする。切断部材２は、少なくとも刃先が挿入口４に位置するように筒体１に取り付けられる。筒体１は、筒体１の軸方向の後端に開口１１を有し、この開口１１が切断部材２で切断された果実Ｆ１が取り出される取出口５である。【選択図】図３
2016042799.tif 000002
【特許請求の範囲】
【請求項１】
果実が挿入される挿入口を周壁に有する筒体と、
少なくとも刃先が前記挿入口に位置するように前記筒体に取り付けられる切断部材と、
前記筒体に接続される取っ手とを備え、
前記筒体は、
前記筒体の軸方向の後端に開口を有し、この開口が前記切断部材で切断された前記果実が取り出される取出口であることを特徴とする果実摘み取り具。
【請求項２】
前記切断部材は、
前記挿入口のうち前記筒体の軸方向の前端側に刃先が位置する第一切断部材と、
前記挿入口のうち前記筒体の軸方向の後端側に刃先が位置する第二切断部材とを有することを特徴とする請求項１に記載の果実摘み取り具。
【請求項３】
前記取出口に接続される管状のシュート部材を更に備えることを特徴とする請求項１または２に記載の果実摘み取り具。
【請求項４】
前記シュート部材は、その内部を落下する前記果実を減速させる突起部を有することを特徴とする請求項３に記載の果実摘み取り具。
【請求項５】
前記筒体は、透明であることを特徴とする請求項１乃至４のいずれか1項に記載の果実摘み取り具。
【発明の詳細な説明】
【技術分野】
【０００１】
本発明は、果実摘み取り具に関する。
【背景技術】
【０００２】
特許文献１には、高所の実を収穫するための収穫カッターが提案されている。
【０００３】
特許文献１の収穫カッターは、伸縮する軸と、軸の先端に設けられたＵ字状の引掛け部と、引掛け部の内側に設けられた刃とを備える。
【先行技術文献】
【特許文献】
【０００４】
【特許文献１】特開２０１４−３９５２１号公報
【発明の概要】
【発明が解決しようとする課題】
【０００５】
特許文献１の収穫カッターは、実の茎に引掛け部を引掛けて刃で刈り取ることによって、実を収穫することができる。
【０００６】
しかし、特許文献１の収穫カッターを用いた高所の実の収穫は、刈り取った実が地面に落ちないようにするために、刈り取った実を受けるための人手が別に必要となったり、刈り取った実を受ける網等を地面から離して設置する必要がある。
【０００７】
上記事情を鑑みて、本発明は、人手がかからず、簡単な作業で高所の果実を摘み取ることができる果実摘み取り具を提案することを課題とする。
【課題を解決するための手段】
【０００８】
上記課題を解決するために本発明の果実摘み取り具は、果実が挿入される挿入口を周壁に有する筒体と、少なくとも刃先が前記挿入口に位置するように前記筒体に取り付けられる切断部材と、前記筒体に接続される取っ手とを備え、前記筒体は、前記筒体の軸方向の後端に開口を有し、この開口が前記切断部材で切断された前記果実が取り出される取出口であることを特徴とする。
【発明の効果】
【０００９】
本発明の果実摘み取り具は、人手がかからず、簡単な作業で高所の果実を摘み取ることができる。
【図面の簡単な説明】
【００１０】
【図１】本発明の第一実施形態の果実摘み取り具を示す斜視図である。
【図２】同上の果実摘み取り具を示す図であり、図２Ａは側面図であり、図２Ｂは平面図であり、図２Ｃは背面図である。
【図３】図３Ａ〜図３Ｃは同上の果実摘み取り具を用いて果実を摘み取る様子を説明する説明図である。
【図４】本発明の第二実施形態の果実摘み取り具を示す一部破断した斜視図である。
【発明を実施するための形態】
【００１１】
以下、本発明の実施形態について添付図面に基づいて説明する。
【００１２】
図１及び図２には、本発明の第一実施形態の果実摘み取り具が示されている。本実施形態の果実摘み取り具は、高所の果実Ｆ１を摘み取るためのものであり、脚立やはしごに登って使用されたり、地面から使用される。果実Ｆ１は、柚子、柿、林檎、梨等である。
【００１３】
果実摘み取り具は、筒体１と、筒体１に取り付けられる切断部材２と、筒体１に接続される取っ手３とを備える。以下では、筒体１の軸方向を前後方向とし、この前後方向に対して直交する方向の１つを左右方向とし、この前後方向及び左右方向の両方に直交する方向を上下方向として、各構成について説明する。つまり、図１及び図２においては、矢印Ｘ１で示す方向が前方であり、その反対方向が後方であり、矢印Ｙ１で示す方向が右方であり、その反対方向が左方であり、矢印Ｚ１で示す方向が上方であり、その反対方向が下方である。
【００１４】
筒体１は、本実施形態では略円筒状である。なお、筒体１は、角筒状等の他の形状であってもよい。筒体１は、樹脂製であり、例えば、透明な樹脂で形成されている。なお、筒体１は、金属製であってもよく、また、透明な樹脂と金属の両方で形成されたものであってもよい。本実施形態では、筒体１は、軸方向に亘って外形が一定であり、軸方向に細長い筒状である。また、筒体１は、軸方向に垂直な断面の開口面積が、軸方向に亘って一定であり、果実Ｆ１よりも若干大きいサイズとなっている。筒体１は、周壁１０の一部に、果実Ｆ１を筒体１内に挿入するための挿入口４を有する。挿入口４は、筒体１のうち上側の部位に位置する。挿入口４は、周壁１０の上側の部位を上下方向に貫通する孔である。
【００１５】
筒体１は、軸方向の一端である後端に開口１１を有する。この開口１１は、切断部材２により切断された果実Ｆ１が取り出される取出口５である。また、筒体１は、軸方向の他端である前端の開口１２が閉塞されている。本実施形態では、開口１２には、先細り形状のガイド部材６が取り付けられて、閉塞されている。なお、開口１２は、先細り形状のガイド部材６ではなく、板状の閉塞部材で閉塞してもよい。
【００１６】
挿入口４は、本実施形態では、平面視略円形状である。挿入口４は、平面視円形状の挿入部４０と、筒体１の軸方向の一端側（前端側）に位置する第一切欠き４１と、筒体１の軸方向の他端側（後端側）に位置する第二切欠き４２とを有する。第一切欠き４１と第二切欠き４２は、挿入部４０に比べて左右幅が短いものであり、果実Ｆ１の果梗Ｆ１０は挿入可能であるが、果実Ｆ１の実の部分は挿入不可である。挿入部４０と第一切欠き４１とは連通し、挿入部４０と第二切欠き４２とは連通している。第一切欠き４１と第二切欠き４２は、本実施形態では、三角形状の切欠きである。なお、第一切欠き４１と第二切欠き４２は、半円形状等の他の形状の切欠きであってもよい。挿入口４は、第一切欠き４１と開口１２との間の前後距離が、果実Ｆ１の半分のサイズ以上となるように、筒体１に前寄りに配置されている。なお、挿入口４は、果実Ｆ１が通過可能な形状であればよく、平面視略矩形状等の他の形状であってもよい。
【００１７】
切断部材２は、少なくとも刃先が挿入口４に位置するように筒体１に取り付けられる。本実施形態では、切断部材２は、ねじ等の固定具７によって筒体１に取付台８を介して取り付けられており、交換可能である。取付台８は、板状であり、下面が筒体１の外面に沿って湾曲しており、上面が平坦である。なお、切断部材２は、筒体１に取付台８を介さずに直接取り付けてもよい。また、切断部材２は、他の手段で、筒体１に交換可能に取り付けてもよい。
【００１８】
切断部材２は、挿入口４のうち筒体１の軸方向の一端側（前端側）に刃先が位置する第一切断部材２０と、挿入口４のうち筒体１の軸方向の他端側（後端側）に刃先が位置する第二切断部材２１とを有する。切断部材２０，２１はそれぞれ、本実施形態では、左右一対の刃部材２００で構成される。刃部材２００は、平面視において矩形の４つの角のうちの１つが面取りされた形状のものであり、この面取りされた箇所が刃先２０１となっている。左右一対の刃部材２００は、それぞれの刃先２０１がＶ字状をなすように配置された状態で、固定具７によって筒体１に取付台８を介して固定される。このとき、第一切断部材２０のＶ字状をなす２つの刃先２０１は、平面視において、挿入口４のうち第一切欠き４１内に位置し、第二切断部材２１のＶ字状をなす２つの刃先２０１は、平面視において、挿入口４のうち第二切欠き４２内に位置する。なお、切断部材２０，２１は、上記の形状のものに限らず、その他の形状のものであってもよい。
【００１９】
取っ手３は、棒状の掴み部３０と、掴み部３０と筒体１とを接続する左右一対のアーム部３１とを有する。取っ手３は、例えば樹脂製であり、溶着等により筒体１に接続される。なお、取っ手３は、金属等の他の材質のものであってもよい。また、取っ手３は、掴み部３０の材質とアーム部３１の材質とが異なるものであってもよい。
【００２０】
掴み部３０は、左右方向を長手方向とする棒体であり、左右の端部にそれぞれアーム部３１が固定されている。掴み部３０の左右長さは、筒体１の左右長さと略同じである。アーム部３１は、前後方向を長手方向とする板体であり、前端部が筒体１の周壁１０の左右の端部の外面に固定され、後端部が掴み部３０の左右の端部に固定されている。なお、アーム部３１は、前後方向に伸縮自在であり、複数の前後長さに切り替え可能なものであってもよい。アーム部３１を伸縮自在とするための構造については、従来周知の技術が適用可能である。左右一対のアーム部３１は、筒体１の左右長さ分だけ左右方向に離れて位置する。
【００２１】
本実施形態では、左右一対のアーム部３１は、その長手方向が、筒体１の長手方向（軸方向）と平行となるように配置され、掴み部３０が、筒体１を軸方向の一端側から視て（後方から視て）筒体１に重なる位置に配置される。掴み部３０は、筒体１の取出口５から後方に離れた位置に配置されている。
【００２２】
続いて、上述した本実施形態の果実摘み取り具を用いた、高所の果実Ｆ１の摘み取り方法の一例について説明する。
【００２３】
まず、使用者は、図３Ａに示すように、取っ手３の掴み部３０を片手で掴み、筒体１を高所の果実Ｆ１のある箇所に差し込み、挿入口４を通じて筒体１内に果実Ｆ１を挿入する。ここで、筒体１は、前端が先細り形状のガイド部材６となっており、また、筒体１自体も軸方向に細長い形状であるため、果実Ｆ１が木の枝に囲まれた狭い箇所にあった場合でも、差し込みやすくなっている。また、本実施形態では、筒体１と取っ手３の掴み部３０が一直線上に位置しており、筒体１の軸方向と差し込み方向とが同じ方向であるため、筒体１の差し込み操作が行い易くなっている。
【００２４】
次いで、使用者は、筒体１を軸方向に沿って更に前方に差し込むか、あるいは、筒体１を後方に引く。すると、果実Ｆ１の果梗Ｆ１０が、挿入口４の第一切欠き４１内又は第二切欠き４２内に入り込み、第一切欠き４１内の第一切断部材２０の刃先２０１または第二切欠き４２内の第二切断部材２１の刃先２０１によって切断される。
【００２５】
次いで、使用者は、図３Ｂ及び図３Ｃに示すように、筒体１を前端側ほど上方に位置するように傾け、果梗Ｆ１０が切断された果実Ｆ１を、筒体１内を伝わらせて使用者側へと移動させ、取出口５から排出させる。このとき、使用者は、取出口５から排出された果実Ｆ１を、もう一方の手で受け取る。受け取った果実Ｆ１は、使用者が腰等に装備している袋等に収める。
【００２６】
次いで、使用者は、同様の方法で、他の果実Ｆ１を１つずつ摘み取る。
【００２７】
なお、刃先２０１の切れ味が悪くなった場合には、切断部材２を筒体１から取り外して、新しい切断部材２に交換したり、取り外した切断部材２の刃先２０１を研いで、筒体１に再度取り付ける。
【００２８】
以上のように本実施形態の果実摘み取り具では、高所の果実Ｆ１を、簡単な操作で一人で摘み取ることができる。
【００２９】
続いて、図４に示す本発明の第二実施形態の果実摘み取り具について説明する。なお、第一実施形態の果実摘み取り具と同じ構成については、図中に同じ符号を付けて説明を省略し、異なる構成について詳しく説明する。
【００３０】
本実施形態の果実摘み取り具は、第一実施形態の果実摘み取り具の各構成に加えて、筒体１の取出口５に接続される管状のシュート部材９を更に備える。
【００３１】
シュート部材９は、取出口５へのコネクタをなす樹脂製のエルボ部９０と、エルボ部９０と一体の樹脂製のホース部９１とを有する。エルボ部９０とホース部９１とは、溶着や接着等によって一体としたものであってもよいし、接続構造により一体としたものであってもよい。ホース部９１は、本実施形態では、クッション性を有する透明なフレキシブルホースである。つまり、ホース部９１は、エルボ部９０及び筒体１よりも柔らかい部材で形成されている。ホース部９１は、内側に、内部を落下する（転がり落ちるまたは滑り落ちる）果実Ｆ１を減速させる突起部９２を長手方向に亘って有する。ホース部９１は、軟質樹脂製の肉部９３と、螺旋状またはリング状の硬質樹脂製の芯材９４とを一体化したものであり、この芯材９４のうち肉部９３よりも内側に位置する部分が突起部９２を構成している。なお、ホース部９１は、蛇腹状のものであってもよい。この場合、ホース部９１のうち、内側に突出する部位が突起部９２をなす。なお、シュート部材９は、ホース部９１がエルボ部９０を兼ねるものであってもよく、つまり、ホース部９１のみで構成されるものであってもよい。シュート部材９は、軸方向に垂直な断面の開口面積が、果実Ｆ１よりも若干大きいサイズとなっており、筒体１の軸方向に垂直な断面の開口面積と略同じである。
【００３２】
シュート部材９は、エルボ部９０の上流側の端部が取出口５に接続され、ホース部９１の下流側の端部がフック等によって所定の箇所に接続される。ここで、所定の箇所とは、使用者が装備しているかご等や、地面に載置したかご等である。
【００３３】
続いて、本実施形態の果実摘み取り具を用いた、高所の果実Ｆ１の摘み取り方法の一例について説明する。なお、本実施形態の果実Ｆ１の摘み取り方法は、上述した第一実施形態の果実Ｆ１の摘み取り方法と、取出口５から切断された果実Ｆ１が排出されるところまでは同じであるため、それ以降について詳しく説明する。
【００３４】
取出口５から排出された果実Ｆ１は、エルボ部９０を介してホース部９１へ至り、ホース部９１の内部を落下する（転がり落ちるまたは滑り落ちる）。このとき、ホース部９１の内部を落下する果実Ｆ１は、多数の突起部９２に当たることで減速されながら、下方へと移動する。
【００３５】
次いで、果実Ｆ１は、ホース部９１の下流側の端部から排出され、使用者が装着しているかごや、地面に載置したかごへ収められる。
【００３６】
以上のように本実施形態の果実摘み取り具においても、高所の果実Ｆ１を、簡単な操作で一人で摘み取ることができる。
【００３７】
以上まとめると、本発明の果実摘み取り具は、上述した第一及び第二実施形態の果実摘み取り具のように、下記の構成を備えることを特徴とする。
【００３８】
すなわち、本発明の果実摘み取り具は、果実Ｆ１が挿入される挿入口４を周壁１０に有する筒体１と、筒体１に取り付けられる切断部材２と、筒体１に接続される取っ手３とを備えることを特徴とする。切断部材２は、少なくとも刃先が挿入口４に位置するように筒体１に取り付けられる。筒体１は、筒体１の軸方向の後端に開口１１を有し、この開口１１が切断部材２で切断された果実Ｆ１が取り出される取出口５である。
【００３９】
このような構成とすることで、本発明の果実摘み取り具では、取っ手３を片手で持って筒体１を移動させて、高所の果実Ｆ１を挿入口４を通じて筒体１内に挿入し、筒体１を動かして果実Ｆ１の果梗Ｆ１０を切断部材２で切断することができる。そして、本発明の果実摘み取り具では、切断した果実Ｆ１を、筒体１で受け、筒体１により使用者側へ移動させることができ、これにより使用者自ら果実Ｆ１を受け取ることができる。したがって、本発明の果実摘み取り具では、果実Ｆ１の切断と受け取りを一人で行うことができ、切断した果実Ｆ１を受ける網等を地面から離して設置する必要もないため、人手がかからず、簡単な作業で果実Ｆ１の収穫を行うことができる。
【００４０】
また、本発明の果実摘み取り具は、上述した第一及び第二実施形態の果実摘み取り具のように、上記の構成に加えて、更に下記の構成を備えることが好ましい。なお、下記の構成は、付加的な構成である。
【００４１】
すなわち、本発明の果実摘み取り具は、切断部材２が、第一切断部材２０と第二切断部材２１とを有することが好ましい。第一切断部材２０は、挿入口４のうち筒体１の軸方向の前端側に刃先が位置する。第二切断部材２１は、挿入口４のうち筒体１の軸方向の後端側に刃先が位置する。
【００４２】
このような構成とすることで、本発明の果実摘み取り具では、高所の果実Ｆ１を挿入口４を通じて筒体１内に挿入した状態で、筒体１を軸方向の片側（前側）に移動させても軸方向のもう片側（後側）に移動させても、果実Ｆ１を切断することができる。したがって、本発明の果実摘み取り具では、自由度の高い切断を行うことができる。
【００４３】
また、本発明の果実摘み取り具は、上述した第二実施形態の果実摘み取り具のように、上記の構成に加えて、更に下記の構成を備えることが好ましい。なお、下記の構成は、付加的な構成である。
【００４４】
すなわち、本発明の果実摘み取り具は、取出口５に接続される管状のシュート部材９を更に備えることが好ましい。
【００４５】
このような構成とすることで、本発明の果実摘み取り具では、筒体１の取出口５から排出される果実Ｆ１を、管状のシュート部材９により、使用者が装備しているかご等や、地面に載置したかご等まで伝わらせて導くことができる。
【００４６】
また、本発明の果実摘み取り具は、上述した第二実施形態の果実摘み取り具のように、上記の構成に加えて、更に下記の構成を備えることが好ましい。なお、下記の構成は、付加的な構成である。
【００４７】
すなわち、本発明の果実摘み取り具は、シュート部材９が、その内部を落下する果実Ｆ１を減速させる突起部９２を有することが好ましい。
【００４８】
このような構成とすることで、本発明の果実摘み取り具では、シュート部材９の内部を落下する果実Ｆ１を、突起部９２に当てて減速させることができ、果実Ｆ１が勢いよく落ちて傷むことを抑制できる。
【００４９】
また、本発明の果実摘み取り具は、上述した第一及び第二実施形態の果実摘み取り具のように、上記の構成に加えて、更に下記の構成を備えることが好ましい。なお、下記の構成は、付加的な構成である。
【００５０】
すなわち、本発明の果実摘み取り具は、筒体１が、透明であることが好ましい。
【００５１】
このような構成とすることで、本発明の果実摘み取り具では、筒体１内に位置する果実Ｆ１の様子を視認しやすく、果実Ｆ１の切断や移動が行いやすい。
【００５２】
また、上述した本発明の第一及び第二実施形態の果実摘み取り具では、挿入口４の前端と後端に左右幅の短い切欠き４１，４２を設け、平面視においてこの切欠き４１，４２内に刃先２０１が位置するように切断部材２を取り付けている。そのため、本発明の第一及び第二実施形態の果実摘み取り具では、果実Ｆ１の果梗Ｆ１０以外の実の部分が、切断部材２の刃先２０１に接触することを抑制でき、この実の部分が傷むことを抑制できる。
【００５３】
また、上述した本発明の第二実施形態の果実摘み取り具では、高所の果実Ｆ１のある箇所に差し込む部分である先端側（前端側）を、比較的硬質な筒体１とし、後端側をシュート部材９としている。そのため、本発明の第二実施形態の果実摘み取り具では、高所の果実Ｆ１のある箇所に果実摘み取り具を差し込む際に、シュート部材９が邪魔になりにくい。また、本発明の第二実施形態の果実摘み取り具では、この際に、シュート部材９が果実Ｆ１の周囲にある枝によって折り曲げられて、切断した果実Ｆ１が内部を落下しにくくなることや、果実Ｆ１の周囲にある枝によってシュート部材９が傷むことが生じにくい。
【００５４】
なお、上述した各実施形態においては、挿入口４の前後両端に切断部材２を配置した例について説明したが、挿入口４の前端または後端のうちいずれか一方にのみ切断部材２を配置してもよい。
【００５５】
また、上述した各実施形態における切断部材２は、ハサミであってもよく、この場合、掴み部３０にはハサミを操作するための操作部を設ければよい。
【００５６】
また、上述した第二実施形態においては、シュート部材９として内部に突起部９２を有するものを例として説明したが、シュート部材９は、突起部９２を有さないものであってもよい。例えば、シュート部材９は、筒状の網体であってもよい。
【００５７】
また、上述した各実施形態においては、筒体１として透明な筒体１を用いた例について説明したが、筒体１は透明でなくてもよい。
【００５８】
また、上述した各実施形態においては、筒体１として軸方向が一直線状のものを用いた例について説明したが、筒体１は、軸方向が一直線状でなくてもよい。例えば、筒体１は、軸方向が一直線状の直管部と、この直管部の軸方向の後端に一体に設けられるエルボ部９０とで構成されるものであってもよい。この場合、筒体１は、エルボ部９０の下流端が、軸方向の一端（後端）の取出口５（開口１１）をなす。また、この場合、シュート部材９は、ホース部９１のみで構成され、ホース部９１の上流端が、エルボ部９０の下流端である筒体１の取出口５に接続される。
【００５９】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００６０】
１      筒体
２      切断部材
３      取っ手
４      挿入口
５      取出口
９      シュート部材
１０    周壁
１１    開口
２０    第一切断部材
２１    第二切断部材
９２    突起部
Ｆ１    果実
【図１】
2016042799.tif 000003
【図２】
2016042799.tif 000004
【図３】
2016042799.tif 000005
【図４】
2016042799.tif 000006